(57)【要約】      【課題】  複数の板状の部材を自由に組み合わせて、多種多様な形状を有する家具を、強固な構造にして構成したり、さらに、様々に組み合わせて遊ぶ知育玩具として用いることができる、組み立てセットを提供することを目的とする。      【解決手段】  略矩形状の第１板体１と、第１板体１の長さ寸法の略２倍，略３倍の長さ寸法を有する第２・第３板体２，３と、を具備する板体群Ｇを、備える。第２・第３板体２，３は、夫々、一長辺部20Ａに、第１板体１の長さ寸法と同じ寸法置きに等分する幅方向に切り欠いたスリット25を、有する。かつ、第１板体１と、第２・第３板体２，３は、夫々、一辺部10，他長辺部20Ｂの両端部から側辺部13，13と、短辺部23，23に沿うように、小段差部をもって突設された背の低い突片部８，８を、有する。      【選択図】  図16
2006102322.tif 000002
【特許請求の範囲】
【請求項１】
略矩形状の第１板体（１）と、該第１板体（１）の長さ寸法（ｔ1 ）の略２倍，略３倍，略４倍の長さ寸法（ｔ2 )(ｔ3 )(ｔ4 ）を有する第２・第３・第４板体（２)(３)(４）と、を具備する板体群（Ｇ）を、備えた組立セットであって、
上記第２・第３・第４板体（２)(３)(４）は、夫々、２つの長辺部（20)(20）のうちの一長辺部（20Ａ）に、上記第１板体（１）の長さ寸法（ｔ1 ）と同じ寸法置きに等分する幅方向に切り欠いたスリット（25）を、有し、
かつ、上記第２・第３・第４板体（２)(３)(４）は、夫々、上記２つの長辺部（20)(20）のうちの他長辺部（20Ｂ）の両端部（21)(21）から短辺部（23)(23）に沿うように、小段差部（24)(24）をもって突設され別の第２・第３・第４板体（２)(３)(４）に形成されたスリット（25）に嵌込分離自在に差込まれる背の低い突片部（８)(８）を、有し、
かつ、上記第１板体（１）は、４辺のうちの一辺部（10）の両端部（11)(11）から側辺部（13)(13）に沿うように、小段差部（14)(14）をもって突設され第２・第３・第４板体（２)(３)(４）に形成されたスリット（25）に嵌込分離自在に差込まれる背の低い突片部（８)(８）を、有することを特徴とする組立セット。
【請求項２】
上記第１板体（１）及び上記第２・第３・第４板体（２)(３)(４）の板体（Ｂ）は、夫々、一対の上記突片部（８)(８）にその長手方向に貫通形成された第１連結孔（41)(41）を有し、
かつ、該板体（Ｂ）のうち、上記第２・第３・第４板体（２)(３)(４）は、上記スリット（25）の奥部の突当段部（26）から上記第１連結孔（41）と平行に貫通形成された第２連結孔（42）を、有し、
さらに、異なる板体（Ｂ)(Ｂ）の夫々の第１・第２連結孔（41)(42）、又は、第１・第１連結孔（41)(41）、又は、第２・第２連結孔（42)(42）に通され、２枚の上記板体（Ｂ)(Ｂ）を連結する連結棒（９）を、備えた請求項１記載の組立セット。
【請求項３】
上記第１板体（１）は、上記一辺部（10）、又は該一辺部（10）と対向する他辺部（12）に、その中央から幅方向に切り欠いたスリット（15）を、有する請求項１又は２記載の組立セット。
【請求項４】
上記突片部（８）は、横断面正方形状の小角筒体（28）をビス（34）にて着脱自在として付設されている請求項１，２又は３記載の組立セット。
【発明の詳細な説明】
【技術分野】
【０００１】
本発明は、家庭や、洋服店，カフェ，クラブ等の収納棚，内装品等の家具を構成したり、あるいは、子供が玩具として自由に組み合わせて遊ぶための組立セットに関するものである。
【背景技術】
【０００２】
従来、複数の直方体筒状の箱体を、自由に重ねて組み合わせ、本棚を構成したり、左右に配置して板を載せて机を構成したり、様々な家具類を形成することができる組立セットが知られている（例えば、特許文献１参照）。
【特許文献１】特開平８−３６６号公報
【発明の開示】
【発明が解決しようとする課題】
【０００３】
この従来の組立セットに於ては、複数の箱体を、横方向に並列して連結したり、上下に積み重ねるだけなので、組み合わせて作成される家具の種類や、その家具の形状のバラエティーが少ない。
また、仮に、この箱体を小型化して玩具として用いようとする場合、既述したように、横方向や上下に積み重ねて組立てるだけなので、知育玩具としては不向きである。
さらに、夫々の箱体は、ボルト・ナット結合で連結されるので、強固な構成にするために、多くの箇所でボルト・ナット結合しなければならず、分離連結作業をする際に、多くの手間が掛かってしまう。
【０００４】
そこで、本発明は、複数の板状の部材を自由に組み合わせて、多種多様な形状を有する家具を、強固な構造にして構成したり、さらに、様々に組み合わせて遊ぶ知育玩具として用いることができる、組み立てセットを提供することを目的とする。
【課題を解決するための手段】
【０００５】
上記の目的を達成するために、本発明に係る組立セットは、略矩形状の第１板体と、該第１板体の長さ寸法の略２倍，略３倍，略４倍の長さ寸法を有する第２・第３・第４板体と、を具備する板体群を、備え；上記第２・第３・第４板体は、夫々、２つの長辺部のうちの一長辺部に、上記第１板体の長さ寸法と同じ寸法置きに等分する幅方向に切り欠いたスリットを、有し；かつ、上記第２・第３・第４板体は、夫々、上記２つの長辺部のうちの他長辺部の両端部から短辺部に沿うように、小段差部をもって突設され別の第２・第３・第４板体に形成されたスリットに嵌込分離自在に差込まれる背の低い突片部を、有し；かつ、上記第１板体は、４辺のうちの一辺部の両端部から側辺部に沿うように、小段差部をもって突設され第２・第３・第４板体に形成されたスリットに嵌込分離自在に差込まれる背の低い突片部を、有する。
【０００６】
また、上記第１板体及び上記第２・第３・第４板体の板体は、夫々、一対の上記突片部にその長手方向に貫通形成された第１連結孔を有し；かつ、該板体のうち、上記第２・第３・第４板体は、上記スリットの奥部の突当段部から上記第１連結孔と平行に貫通形成された第２連結孔を、有し；さらに、異なる板体の夫々の第１・第２連結孔、又は、第１・第１連結孔、又は、第２・第２連結孔に通され、２枚の上記板体を連結する連結棒を、備えた。
【０００７】
また、上記第１板体は、上記一辺部、又は該一辺部と対向する他辺部に、その中央から幅方向に切り欠いたスリットを、有する。
また、上記突片部は、横断面正方形状の小角筒体をビスにて着脱自在として付設されている。
【発明の効果】
【０００８】
本発明は、次のような著大な効果を奏する。
略矩形状の第１板体と、第１板体の２，３，４倍の長さを有する第２・第３・第４板体とが、夫々、スリットと、スリットに嵌込分離自在に差込まれる背の低い突片部と、を有しているので、それらを含んだ板体群から、所望の板体を所望の枚数選択して、突片部、スリットによる嵌合又は差込み作業を行うことによって、自由に組合わせて様々な形状の模型体を形成することができる。
よって、複数枚の板体から、家庭，洋服店，カフェ，クラブ等で使用する収納棚，内装品等の家具を、好みの多種多様な形状にして、手間を掛けずに作り出すことができ、しかも、どの組合わせ方にしても、強固な構造とすることができる。
あるいは、板体を小型に成型して、子供が遊ぶ知育玩具とすれば、多くのパターンで、自由自在に組合わせたり分解したりして、遊ぶことができる。
そして、容易に分解することができるので、何度も分解・組立を繰り返して、形状を変えることができる。
【０００９】
また、第１板体１及び第２・第３・第４板体２，３，４と、その突片部とに、連結孔を形成すれば、連結棒を通すことで、板体同士を、容易に強固に固定することができる。
よって、例えば、家具として使用する場合に、不意に分解したり、外れてしまうことがない。
【発明を実施するための最良の形態】
【００１０】
以下、実施の形態を示す図面に基づき、本発明を詳説する。
図１，図２，図３及び図４は、本発明に係る組立セットの実施の一形態を示し、この組立セットは、多種多様な板体Ｂ…を含む板体群Ｇを備えており、板体群Ｇから選択した板体Ｂを組み立てて、家具を構成したり、あるいは、玩具として用いるものである。
板体Ｂは、略矩形状（図例では、略正方形）の第１板体１と、第１板体１の長さ寸法ｔ1 の略２倍，略３倍，略４倍の長さ寸法ｔ2 ，ｔ3 ，ｔ4 を有する第２・第３・第４板体２，３，４と、がある。板体Ｂ…は、全て、同じ厚さ寸法を有する。
板体Ｂは、例えば、木製、アルミ製、プラスチック製、金属製、ガラス製、スポンジ、あるいはそれらの複合材等、様々な材料から成る。また、大きさは、組み立てて家具として用いる場合と、玩具として用いる場合とで、夫々に適した大きさに設定される。
【００１１】
第１板体１は、４辺のうちの一辺部10の両端部11，11から側辺部13，13に沿うように、小段差部14，14をもって突設される背の低い突片部８，８が、一体成形される。
第２・第３・第４板体２，３，４は、夫々、２つの長辺部20，20のうちの一長辺部20Ａに、第１板体１の長さ寸法ｔ1 と同じ寸法置きに等分する幅方向に（直交状に）切り欠いたスリット25を、有する。即ち、第２板体２は、１本のスリット25を有し、第３板体３は、２本のスリット25，25を有し、第４板体４は、３本のスリット25…を有する。
また、第２・第３・第４板体２，３，４は、夫々、２つの長辺部20，20のうちの他長辺部20Ｂの両端部21，21から短辺部23，23に沿うように、小段差部24，24をもって突設される背の低い突片部８，８が、一体成形される。突片部８は、板体Ｂと同じ厚さ寸法を有する。
【００１２】
これらの板体Ｂ（第１板体１、及び第２・第３・第４板体２，３，４）の突片部８は、夫々の板体Ｂの幅方向中央までの（板体Ｂの幅寸法Ｌ1 の半分の）寸法を、有する。
かつ、スリット25は、第２・第３・第４板体２，３，４の幅方向中央まで、夫々、切り欠かれると共に、突片部８及び板体Ｂの厚さ寸法と、略同一の幅寸法を有する。
第１板体１の突片部８は、第２・第３・第４板体２，３，４のスリット25に、嵌込分離自在に差込まれ、また、第２・第３・第４板体２，３，４の突片部８は、別の第２・第３・第４板体２，３，４のスリット25に、嵌込分離自在に差込まれる（図４参照）。
あるいは、異なる板体Ｂ，Ｂが、夫々のスリット25，25同士が差込まれて、連結される（図４参照）。
あるいは、異なる板体Ｂ，Ｂが、夫々の突片部８，８の小段差部14（24），14（24）同士を当接させ連続状とした状態で、連結される（図13参照）。
【００１３】
図５は、第１板体１の長さ寸法ｔ1 の略半分の長さ寸法ｔ5 を有する半板体５を示す。この半板体５の突片部８，第１連結孔41は、図１，図２で既述した第１板体１のものと同様の構成である。このように、第１板体１は、略正方形状に限定されず、長方形状であってもよく、図示省略するが、この場合も、第２・第３・第４板体２，３，４の長さ寸法ｔ2 ，ｔ3 ，ｔ4 は、第１板体１の長さ寸法ｔ1 の略２倍，略３倍，略４倍となるように、構成される。
また、図６に示すように、第１板体１の一辺部10と対向する他辺部12に、その中央から幅方向（直交状）に切り欠いたスリット15を、形成し、別の板体Ｂのスリット15，25や突片部８が、嵌込分離自在に差込まれるようにしてもよい。この場合、第１板体１は、スリット15の奥部の突当段部16から、第１連結孔41と平行に、第２連結孔42が、貫設される。  あるいは、図示省略するが、他辺部12ではなく、第１板体１の一辺部10に、その中央から幅方向（直交状）に、スリット15を切り欠いて形成してもよい。
さらに、好ましくは、図５，図６の板体Ｂの突片部８に、第１連結孔41を設けず、（図16〜図19で後述する）第１・第２固定孔51，52、及び、雌ネジ孔50を、設ける構成である。
【００１４】
次に、板体Ｂ，Ｂが、連結された後で固定されるための構成について、説明する。
図１〜図４に示す板体Ｂが有する連結固定用の形状は、その一例であり、夫々の突片部８に、（後述の連結棒９が挿入される）第１連結孔41が、その長手方向に貫通形成されている。
そして、板体Ｂのうち第２・第３・第４板体２，３，４は、夫々、スリット25の奥部の突当段部26から第１連結孔41と平行に貫通形成された（後述の連結棒９が挿入される）第２連結孔42を、有する。
また、図５の半板体５、図６の第１板体１は、夫々の突片部８，８に、同様の第１連結孔41，41が形成され、かつ、図６の第１板体１は、スリット15の奥部の突当段部から第２連結孔42が、貫通形成されている。
【００１５】
あるいは、図７〜図12に示す板体Ｂが有する連結固定用の形状は、他の例であり、突片部８は、横断面正方形状の小角筒体28から構成され、この小角筒体28から成る突片部８に、連結棒９を挿入したり、あるいは、ビス34を差込んで螺合する。
具体的には、突片部８は、この小角筒体28…が、第１板体１の側辺部13、又は、第２・第３・第４板体２，３，４の夫々の短辺部23に所定ピッチで形成された雌ネジ孔35…に、ビス34…にて着脱自在として付設されて成る。
各小角筒体28の長手方向長さ寸法Ｄ28は、上記側辺部13、又は短辺部23の幅寸法Ｌ1 の四分の一に設定され、かつ、横断面に於て、各板体Ｂと同じ厚さを有している。
小角筒体28は、長手方向に、（後述する）連結棒（長ネジ）９が挿入される連結孔40が、貫通形成され、その連結孔40の両端において、連結棒９の頭部及び（後述する）ナット37に当接される座ぐりが、形成される。
また、小角筒体28は、ビス34を通すための第１固着孔31，32が、対向する細長直方体面を貫通するように、横断面十文字（クロス）状に形成される。かつ、第１・第２固着孔31，32は、その奥部に、差し込まれたビス34の頭部が当接される座ぐり31ａ，32ａと、座ぐり31ａ，32ａから縮径して外部に貫通されビス34のネジ部を通す小孔33と、を有する。各小角筒体28は、一対の第１固着孔31，31が、長手方向に同じ間隔をもって並設され、かつ、第１固着孔31，31と対応する位置に、一対の第２固着孔32，32が並設される。
側辺部13、又は、短辺部23には、夫々、第１固着孔31，31（第２固着孔32，32）と同じ間隔をもって、８つの雌ネジ孔35…が、形成されている。
そして、一辺の側辺部13、又は、短辺部23に、端寄りに、２つの小角筒体28，28が並設されて、突片部８が構成される。一本の第１連結孔41は、一対の小角筒体28，28の連結孔40，40から成る。
【００１６】
図３，図４，図11，図12，図13及び図15に於て、９は、突片部８の第１連結孔41、又は、第２連結孔42に通されて、板体Ｂ，Ｂ同士を連結するための連結棒（長ネジ）であり、挿入後、先端に形成された雄ネジ部に、ナット37が螺合される。
また、図10に示すように、２枚の板体Ｂ，Ｂの突片部８，８を幅方向に連続させた後で、連結棒９を用いずに、第２固着孔32に（図示省略の）ビス34を差込み雌ネジ孔35…に螺着して、２枚の板体Ｂ，Ｂを固定するのもよい。
なお、図12では、連結棒９は、１つの小角筒体28の略４倍の長さ（突片部８の略２倍の長さ）を有する。あるいは、板体Ｂに取り付けられる小角筒体28の数、及び、複数枚の板体Ｂ…同士を連結する小角筒体28…の数に応じて、連結棒９の長さを、１つの小角筒体28の２倍、３倍の長さに、設定する。
【００１７】
あるいは、図16〜図19に示す板体Ｂが有する連結固定用形状は、（より好ましい、）別の例であり、板体Ｂは、固定用ビス49を差込む固定孔と、雌ネジ孔とが、設けられる。
具体的には、板体Ｂの突片部８は、夫々、２つの第１固定孔51，51が、厚さ方向に貫設されると共に幅方向に並設され、第１固定孔51は、夫々、両端に、座ぐり51ａ，51ａを有する。
かつ、第１板体１の側辺部13と、第２・第３・第４板体２，３，４の短辺部23は、夫々、突片部８，８同士で連結される他の板体Ｂの突片部８に形成された２つの第１固定孔51，51に対応する位置に、一対の雌ネジ孔50，50が、形成される。
さらに、板体Ｂは、スリット25の奥部の延長線上であって、このスリット25に差込まれる突片部８を有する他の板体Ｂに形成された２つの雌ネジ孔50，50に対応する位置に、一対の第２固定孔52，52が形成される（図19参照）。第２固定孔52は、夫々、両端に座ぐり52ａ，52ａを、有する。
【００１８】
また、図示省略するが、板体群Ｇが、第１板体１の長さ寸法ｔ1 の、５以上の整数倍の長さ寸法を有する板体Ｂを、備えていてもよい。この板体Ｂに於て、一対の突片部８，８、スリット25…、及び、第１・第２連結孔41，42（あるいは、第１固定孔51，52、及び雌ネジ孔50）は、第２・第３・第４板体２，３，４のものと同様の構成である。
【００１９】
また、図14及び図15は、４枚の第１板体１…を、夫々の突片部８…で連結する場合を示す説明図である。
この突片部８は、夫々、（図７〜図10で既述した）１つの小角筒体28から構成され、かつ、夫々の小角筒体28は、相互に重ならないように、側辺部13に、幅方向にずらして設けられる（図14参照）。
そして、４枚の第１板体１…の突片部８…を幅方向に連続させた後で、全ての第１連結孔41…に、連結棒９を挿入して、ナット37（図12参照）で固定する。
この図14及び図15に於ては、第１板体１…を連結する場合について説明したが、同様の手順で、第２・第３・第４板体２，３，４に突片部８を設けて、連結するのもよい。
【００２０】
次に、組立セットの使用方法について説明する。
図３，図４は、１枚の第１板体１と、１枚の第２板体２と、２枚の第３板体３，３と、から構成する模型体６の一例を示す。
先ず、図３に於て、矢印のように、第２板体２のスリット25を、一の第３板体３のスリット25に嵌合させつつ、この第２板体２の一の突片部８を、他の第３板体３のスリット25に、差し込む。
さらに、第１板体１の一対の突片部８，８を、一の第３板体３のスリット25と、他の第３板体３のスリット25に差し込む。
そして、上記嵌合・差込により構成された第２・第２連結孔42，42、第１・第２連結孔41，42の夫々に、連結棒９を、挿入してナットで固定し、図４のような模型体６を、形成する。
あるいは、板体Ｂ…を、図７〜図10に示すものとし、これらの板体Ｂ…を、図４のように組合わせた後で、一の板体Ｂの突片部８（小角筒体28）の第２固着孔32にビス34を差込んで、他の板体Ｂの側辺部13又は短辺部23に、螺着して固定する方法でもよい。
【００２１】
さらに好ましくは、板体Ｂ…を、図16〜図19に示すものとし、これらの板体Ｂ…を、図４のように組立てた後で、ビス49を、第１・第２固定孔51，52と雌ネジ孔50に螺合して（図17，図19参照）、固定する方法でもよい。
【００２２】
さらに、板体群Ｇから選択する板体Ｂ…により、例えば、図13に示すような模型体６の作成も可能である。
具体的には、先ず、４枚の第４板体４…を、夫々の突片部８同士を連結させて矩形状の枠体を組立て、そして、この枠体の内部に、２枚の第２板体２，２と、３枚の第３板体３…を、差込む。この図13は、板体Ｂ…を、図１〜図12に示すものとしており、組立てた後で、連結棒９及びナットで固定される例が、示されている。
より好ましくは、板体Ｂ…を、図16〜図19に示すものとする場合であり、図16の板体群Ｇから選択した板体Ｂ…を、図13のように組立てた後で、ビス49を、第１・第２固定孔51，52及び雌ネジ孔50に螺合して固定して（図17，図19参照）、模型体６を完成する。
【００２３】
なお、図示省略するが、第１板体１の長さ寸法ｔ1 の５倍以上の長さ寸法を有する板体から、矩形状の枠体を組み立てて模型体６を構成したり、あるいは、例えば、「凸」や「凹」のような形状の枠体を組み立てて、模型体６を構成するのも、自由である。
組み立て後の模型体６の全体の幅寸法Ｌ6 は、板体Ｂの幅寸法Ｌ1 と同一であり、それよりも大きくなることがない。
このように、選択する板体Ｂの種類、枚数、そして、組合わせ方により、図４、図13に示す模型体６以外の、様々な形状の模型体６を構成することができ、家庭，洋服店，カフェ，クラブ等の収納棚，内装品等の家具を構成したり、あるいは、子供が玩具として自由に組み合わせて遊ぶことができる。
【００２４】
以上のように、本発明に係る組立セットは、略矩形状の第１板体１と、第１板体１の長さ寸法ｔ1 の略２倍，略３倍，略４倍の長さ寸法ｔ2 ，ｔ3 ，ｔ4 を有する第２・第３・第４板体２，３，４と、を具備する板体群Ｇを、備え、第２・第３・第４板体２，３，４は、夫々、２つの長辺部20，20のうちの一長辺部20Ａに、第１板体１の長さ寸法ｔ1 と同じ寸法置きに等分する幅方向に切り欠いたスリット25を、有し、かつ、第２・第３・第４板体２，３，４は、夫々、２つの長辺部20，20のうちの他長辺部20Ｂの両端部21，21から短辺部23，23に沿うように、小段差部24，24をもって突設され別の第２・第３・第４板体２，３，４に形成されたスリット25に嵌込分離自在に差込まれる背の低い突片部８，８を、有し、かつ、第１板体１は、４辺のうちの一辺部10の両端部11，11から側辺部13，13に沿うように、小段差部14，14をもって突設され第２・第３・第４板体２，３，４に形成されたスリット25に嵌込分離自在に差込まれる背の低い突片部８，８を、有するので、所望の板体Ｂを選択して、突片部８、スリット15，25による嵌合又は差込み作業を行うことで、自由に組合わせて様々な形状の模型体を形成することができる。
よって、複数枚の板体Ｂ…から、家庭，洋服店，カフェ，クラブ等の収納棚，内装品等の家具を、好みの多種多様な形状にして作り出すことができ、しかも、どの組合わせ方にしても、強固な構造とすることができる。
あるいは、板体Ｂを小型に成型して、子供が遊ぶ知育玩具とすれば、多くのパターンで、自由自在に組合わせたり分解したりして、遊ぶことができる。
さらに、分解作業も容易に行い得るので、何度も分解・組立を繰り返すことができ、形状を変えることができる。
【００２５】
また、第１板体１及び第２・第３・第４板体２，３，４の板体Ｂは、夫々、一対の突片部８，８にその長手方向に貫通形成された第１連結孔41，41を有し、かつ、板体Ｂのうち、第２・第３・第４板体２，３，４は、スリット25の奥部の突当段部26から第１連結孔41と平行に貫通形成された第２連結孔42を、有し、さらに、異なる板体Ｂ，Ｂの夫々の第１・第２連結孔41，42、又は、第１・第１連結孔41，41、又は、第２・第２連結孔42，42に通され、２枚の板体Ｂ，Ｂを連結する連結棒９を、備えているので、板体Ｂ，Ｂを、どのような組合わせ方で連結する場合でも、連結棒９を、第１連結孔41，第２連結孔42に挿入するだけで、容易に、強固に固定することができる。
よって、例えば、家具として使用する場合に、不意に分解したり、外れてしまうことがない。
【００２６】
また、第１板体１は、一辺部10、又は一辺部10と対向する他辺部12に、その中央から幅方向に切り欠いたスリット15を、有するので、第１板体１のスリット15に、別の板体Ｂを差込んで連結することにより、板体Ｂを組合わせるパターンを、一層多くすることができる。
【００２７】
また、突片部８は、横断面正方形状の小角筒体28をビス34にて着脱自在として付設されているので、突片部８の幅方向の長さや、突片部８が板体Ｂに設けられる位置を、自由に設定することができ、相互に連結する板体Ｂ…の枚数（２枚〜４枚）に対応できる。
よって、板体Ｂを組合わせるパターンを、一層多くすることができる。
【図面の簡単な説明】
【００２８】
【図１】本発明に係る組立セットの実施の一形態を示す斜視図である。
【図２】平面図である。
【図３】組立方法の一例を示す説明用斜視図である。
【図４】説明用斜視図である。
【図５】本発明に係る組立セットの他の実施の形態を示す要部斜視図である。
【図６】本発明に係る組立セットの別の実施の形態を示す要部斜視図である。
【図７】本発明に係る組立セットのさらに別の実施の形態を示す要部拡大図であって、（ａ）は要部拡大平面図で、（ｂ）は要部拡大正面図で、（ｃ）は要部拡大側面図である。
【図８】説明用要部斜視図である。
【図９】説明用要部斜視図である。
【図１０】説明用要部斜視図である。
【図１１】説明用斜視図である。
【図１２】拡大一部断面正面図である。
【図１３】斜視図である。
【図１４】板体の比較例を示す説明用要部斜視図である。
【図１５】説明用要部斜視図である。
【図１６】本発明に係る組立セットのさらに別の実施の形態を示す斜視図である。
【図１７】説明用要部斜視図である。
【図１８】説明用要部拡大側面図である。
【図１９】説明用要部斜視図である。
【符号の説明】
【００２９】
１  第１板体
２  第２板体
３  第３板体
４  第４板体
８  突片部
９  連結棒
10  一辺部
11  端部
12  他辺部
13  側辺部
14  小段差部
15  スリット
20  長辺部
20Ａ  一長辺部
20Ｂ  他長辺部
21  端部
23  短辺部
24  小段差部
25  スリット
26  突当段部
28  小角筒体
34  ビス
41  第１連結孔
42  第２連結孔
Ｂ  板体
Ｇ  板体群
ｔ1 ，ｔ2 ，ｔ3 ，ｔ4   長さ寸法
【図１】
2006102322.tif 000003
【図２】
2006102322.tif 000004
【図３】
2006102322.tif 000005
【図４】
2006102322.tif 000006
【図５】
2006102322.tif 000007
【図６】
2006102322.tif 000008
【図７】
2006102322.tif 000009
【図８】
2006102322.tif 000010
【図９】
2006102322.tif 000011
【図１０】
2006102322.tif 000012
【図１１】
2006102322.tif 000013
【図１２】
2006102322.tif 000014
【図１３】
2006102322.tif 000015
【図１４】
2006102322.tif 000016
【図１５】
2006102322.tif 000017
【図１６】
2006102322.tif 000018
【図１７】
2006102322.tif 000019
【図１８】
2006102322.tif 000020
【図１９】
2006102322.tif 000021
【手続補正書】
【提出日】平成16年12月7日(2004.12.7)
【手続補正１】
【補正対象書類名】特許請求の範囲
【補正対象項目名】請求項１
【補正方法】変更
【補正の内容】
【請求項１】
略矩形状の第１板体（１）と、該第１板体（１）の長さ寸法（ｔ1 ）の略２倍，略３倍の長さ寸法（ｔ2 )(ｔ3 ）を有する第２・第３板体（２)(３）と、を具備する板体群（Ｇ）を、備えた組立セットであって、
上記第２・第３板体（２)(３）は、夫々、２つの長辺部（20)(20）のうちの一長辺部（20Ａ）に、上記第１板体（１）の長さ寸法（ｔ1 ）と同じ寸法置きに等分する幅方向に切り欠いたスリット（25）を、有し、
かつ、上記第２・第３板体（２)(３）は、夫々、上記２つの長辺部（20)(20）のうちの他長辺部（20Ｂ）の両端部（21)(21）から短辺部（23)(23）に沿うように、小段差部（24)(24）をもって突設され別の第２・第３板体（２)(３）に形成されたスリット（25）に嵌込分離自在に差込まれる背の低い突片部（８)(８）を、有し、
かつ、上記第１板体（１）は、４辺のうちの一辺部（10）の両端部（11)(11）から側辺部（13)(13）に沿うように、小段差部（14)(14）をもって突設され第２・第３板体（２)(３）に形成されたスリット（25）に嵌込分離自在に差込まれる背の低い突片部（８)(８）を、有することを特徴とする組立セット。
【手続補正２】
【補正対象書類名】特許請求の範囲
【補正対象項目名】請求項２
【補正方法】変更
【補正の内容】
【請求項２】
上記第１板体（１）及び上記第２・第３板体（２)(３）の板体（Ｂ）は、夫々、一対の上記突片部（８)(８）にその長手方向に貫通形成された第１連結孔（41)(41）を有し、
かつ、該板体（Ｂ）のうち、上記第２・第３板体（２)(３）は、上記スリット（25）の奥部の突当段部（26）から上記第１連結孔（41）と平行に貫通形成された第２連結孔（42）を、有し、
さらに、異なる板体（Ｂ)(Ｂ）の夫々の第１・第２連結孔（41)(42）、又は、第１・第１連結孔（41)(41）、又は、第２・第２連結孔（42)(42）に通され、２枚の上記板体（Ｂ)(Ｂ）を連結する連結棒（９）を、備えた請求項１記載の組立セット。
【手続補正３】
【補正対象書類名】明細書
【補正対象項目名】全文
【補正方法】変更
【補正の内容】
【発明の詳細な説明】
【技術分野】
【０００１】
本発明は、家庭や、洋服店，カフェ，クラブ等の収納棚，内装品等の家具を構成したり、あるいは、子供が玩具として自由に組み合わせて遊ぶための組立セットに関するものである。
【背景技術】
【０００２】
従来、複数の直方体筒状の箱体を、自由に重ねて組み合わせ、本棚を構成したり、左右に配置して板を載せて机を構成したり、様々な家具類を形成することができる組立セットが知られている（例えば、特許文献１参照）。
【特許文献１】特開平８−３６６号公報
【発明の開示】
【発明が解決しようとする課題】
【０００３】
この従来の組立セットに於ては、複数の箱体を、横方向に並列して連結したり、上下に積み重ねるだけなので、組み合わせて作成される家具の種類や、その家具の形状のバラエティーが少ない。
また、仮に、この箱体を小型化して玩具として用いようとする場合、既述したように、横方向や上下に積み重ねて組立てるだけなので、知育玩具としては不向きである。
さらに、夫々の箱体は、ボルト・ナット結合で連結されるので、強固な構成にするために、多くの箇所でボルト・ナット結合しなければならず、分離連結作業をする際に、多くの手間が掛かってしまう。
【０００４】
そこで、本発明は、複数の板状の部材を自由に組み合わせて、多種多様な形状を有する家具を、強固な構造にして構成したり、さらに、様々に組み合わせて遊ぶ知育玩具として用いることができる、組み立てセットを提供することを目的とする。
【課題を解決するための手段】
【０００５】
上記の目的を達成するために、本発明に係る組立セットは、略矩形状の第１板体と、該第１板体の長さ寸法の略２倍，略３倍の長さ寸法を有する第２・第３板体と、を具備する板体群を、備え；上記第２・第３板体は、夫々、２つの長辺部のうちの一長辺部に、上記第１板体の長さ寸法と同じ寸法置きに等分する幅方向に切り欠いたスリットを、有し；かつ、上記第２・第３板体は、夫々、上記２つの長辺部のうちの他長辺部の両端部から短辺部に沿うように、小段差部をもって突設され別の第２・第３板体に形成されたスリットに嵌込分離自在に差込まれる背の低い突片部を、有し；かつ、上記第１板体は、４辺のうちの一辺部の両端部から側辺部に沿うように、小段差部をもって突設され第２・第３板体に形成されたスリットに嵌込分離自在に差込まれる背の低い突片部を、有する。
【０００６】
また、上記第１板体及び上記第２・第３板体の板体は、夫々、一対の上記突片部にその長手方向に貫通形成された第１連結孔を有し；かつ、該板体のうち、上記第２・第３板体は、上記スリットの奥部の突当段部から上記第１連結孔と平行に貫通形成された第２連結孔を、有し；さらに、異なる板体の夫々の第１・第２連結孔、又は、第１・第１連結孔、又は、第２・第２連結孔に通され、２枚の上記板体を連結する連結棒を、備えた。
【０００７】
また、上記第１板体は、上記一辺部、又は該一辺部と対向する他辺部に、その中央から幅方向に切り欠いたスリットを、有する。
また、上記突片部は、横断面正方形状の小角筒体をビスにて着脱自在として付設されている。
【発明の効果】
【０００８】
本発明は、次のような著大な効果を奏する。
略矩形状の第１板体と、第１板体の２，３倍の長さを有する第２・第３板体とが、夫々、スリットと、スリットに嵌込分離自在に差込まれる背の低い突片部と、を有しているので、それらを含んだ板体群から、所望の板体を所望の枚数選択して、突片部、スリットによる嵌合又は差込み作業を行うことによって、自由に組合わせて様々な形状の模型体を形成することができる。
よって、複数枚の板体から、家庭，洋服店，カフェ，クラブ等で使用する収納棚，内装品等の家具を、好みの多種多様な形状にして、手間を掛けずに作り出すことができ、しかも、どの組合わせ方にしても、強固な構造とすることができる。
あるいは、板体を小型に成型して、子供が遊ぶ知育玩具とすれば、多くのパターンで、自由自在に組合わせたり分解したりして、遊ぶことができる。
そして、容易に分解することができるので、何度も分解・組立を繰り返して、形状を変えることができる。
【０００９】
また、第１板体及び第２・第３板体と、その突片部とに、連結孔を形成すれば、連結棒を通すことで、板体同士を、容易に強固に固定することができる。
よって、例えば、家具として使用する場合に、不意に分解したり、外れてしまうことがない。
【発明を実施するための最良の形態】
【００１０】
以下、実施の形態を示す図面に基づき、本発明を詳説する。
図１，図２，図３及び図４は、本発明に係る組立セットの実施の一形態を示し、この組立セットは、多種多様な板体Ｂ…を含む板体群Ｇを備えており、板体群Ｇから選択した板体Ｂを組み立てて、家具を構成したり、あるいは、玩具として用いるものである。
板体Ｂは、略矩形状（図例では、略正方形）の第１板体１と、第１板体１の長さ寸法ｔ1 の略２倍，略３倍，略４倍の長さ寸法ｔ2 ，ｔ3 ，ｔ4 を有する第２・第３・第４板体２，３，４と、がある。板体Ｂ…は、全て、同じ厚さ寸法を有する。
板体Ｂは、例えば、木製、アルミ製、プラスチック製、金属製、ガラス製、スポンジ、あるいはそれらの複合材等、様々な材料から成る。また、大きさは、組み立てて家具として用いる場合と、玩具として用いる場合とで、夫々に適した大きさに設定される。
【００１１】
第１板体１は、４辺のうちの一辺部10の両端部11，11から側辺部13，13に沿うように、小段差部14，14をもって突設される背の低い突片部８，８が、一体成形される。
第２・第３・第４板体２，３，４は、夫々、２つの長辺部20，20のうちの一長辺部20Ａに、第１板体１の長さ寸法ｔ1 と同じ寸法置きに等分する幅方向に（直交状に）切り欠いたスリット25を、有する。即ち、第２板体２は、１本のスリット25を有し、第３板体３は、２本のスリット25，25を有し、第４板体は、３本のスリット25…を有する。
また、第２・第３・第４板体２，３，４は、夫々、２つの長辺部20，20のうちの他長辺部20Ｂの両端部21，21から短辺部23，23に沿うように、小段差部24，24をもって突設される背の低い突片部８，８が、一体成形される。突片部８は、板体Ｂと同じ厚さ寸法を有する。
【００１２】
これらの板体Ｂ（第１板体１、及び第２・第３・第４板体２，３，４）の突片部８は、夫々の板体Ｂの幅方向中央までの（板体Ｂの幅寸法Ｌ1 の半分の）寸法を、有する。
かつ、スリット25は、第２・第３・第４板体２，３，４の幅方向中央まで、夫々、切り欠かれると共に、突片部８及び板体Ｂの厚さ寸法と、略同一の幅寸法を有する。
第１板体１の突片部８は、第２・第３・第４板体２，３，４のスリット25に、嵌込分離自在に差込まれ、また、第２・第３・第４板体２，３，４の突片部８は、別の第２・第３・第４板体２，３，４のスリット25に、嵌込分離自在に差込まれる（図４参照）。
あるいは、異なる板体Ｂ，Ｂが、夫々のスリット25，25同士が差込まれて、連結される（図４参照）。
あるいは、異なる板体Ｂ，Ｂが、夫々の突片部８，８の小段差部14（24），14（24）同士を当接させ連続状とした状態で、連結される（図13参照）。
【００１３】
図５は、第１板体１の長さ寸法ｔ1 の略半分の長さ寸法ｔ5 を有する半板体５を示す。この半板体５の突片部８，第１連結孔41は、図１，図２で既述した第１板体１のものと同様の構成である。このように、第１板体１は、略正方形状に限定されず、長方形状であってもよく、図示省略するが、この場合も、第２・第３・第４板体２，３，４の長さ寸法ｔ2 ，ｔ3 ，ｔ4 は、第１板体１の長さ寸法ｔ1 の略２倍，略３倍，略４倍となるように、構成される。
また、図６に示すように、第１板体１の一辺部10と対向する他辺部12に、その中央から幅方向（直交状）に切り欠いたスリット15を、形成し、別の板体Ｂのスリット15，25や突片部８が、嵌込分離自在に差込まれるようにしてもよい。この場合、第１板体１は、スリット15の奥部の突当段部16から、第１連結孔41と平行に、第２連結孔42が、貫設される。  あるいは、図示省略するが、他辺部12ではなく、第１板体１の一辺部10に、その中央から幅方向（直交状）に、スリット15を切り欠いて形成してもよい。
さらに、好ましくは、図５，図６の板体Ｂの突片部８に、第１連結孔41を設けず、（図16〜図19で後述する）第１・第２固定孔51，52、及び、雌ネジ孔50を、設ける構成である。
【００１４】
次に、板体Ｂ，Ｂが、連結された後で固定されるための構成について、説明する。
図１〜図４に示す板体Ｂが有する連結固定用の形状は、その一例であり、夫々の突片部８に、（後述の連結棒９が挿入される）第１連結孔41が、その長手方向に貫通形成されている。
そして、板体Ｂのうち第２・第３・第４板体２，３，４は、夫々、スリット25の奥部の突当段部26から第１連結孔41と平行に貫通形成された（後述の連結棒９が挿入される）第２連結孔42を、有する。
また、図５の半板体５、図６の第１板体１は、夫々の突片部８，８に、同様の第１連結孔41，41が形成され、かつ、図６の第１板体１は、スリット15の奥部の突当段部から第２連結孔42が、貫通形成されている。
【００１５】
あるいは、図７〜図12に示す板体Ｂが有する連結固定用の形状は、他の例であり、突片部８は、横断面正方形状の小角筒体28から構成され、この小角筒体28から成る突片部８に、連結棒９を挿入したり、あるいは、ビス34を差込んで螺合する。
具体的には、突片部８は、この小角筒体28…が、第１板体１の側辺部13、又は、第２・第３・第４板体２，３，４の夫々の短辺部23に所定ピッチで形成された雌ネジ孔35…に、ビス34…にて着脱自在として付設されて成る。
各小角筒体28の長手方向長さ寸法Ｄ28は、上記側辺部13、又は短辺部23の幅寸法Ｌ1 の四分の一に設定され、かつ、横断面に於て、各板体Ｂと同じ厚さを有している。
小角筒体28は、長手方向に、（後述する）連結棒（長ネジ）９が挿入される連結孔40が、貫通形成され、その連結孔40の両端において、連結棒９の頭部及び（後述する）ナット37に当接される座ぐりが、形成される。
また、小角筒体28は、ビス34を通すための第１固着孔31，32が、対向する細長直方体面を貫通するように、横断面十文字（クロス）状に形成される。かつ、第１・第２固着孔31，32は、その奥部に、差し込まれたビス34の頭部が当接される座ぐり31ａ，32ａと、座ぐり31ａ，32ａから縮径して外部に貫通されビス34のネジ部を通す小孔33と、を有する。各小角筒体28は、一対の第１固着孔31，31が、長手方向に同じ間隔をもって並設され、かつ、第１固着孔31，31と対応する位置に、一対の第２固着孔32，32が並設される。
側辺部13、又は、短辺部23には、夫々、第１固着孔31，31（第２固着孔32，32）と同じ間隔をもって、８つの雌ネジ孔35…が、形成されている。
そして、一辺の側辺部13、又は、短辺部23に、端寄りに、２つの小角筒体28，28が並設されて、突片部８が構成される。一本の第１連結孔41は、一対の小角筒体28，28の連結孔40，40から成る。
【００１６】
図３，図４，図11，図12，図13及び図15に於て、９は、突片部８の第１連結孔41、又は、第２連結孔42に通されて、板体Ｂ，Ｂ同士を連結するための連結棒（長ネジ）であり、挿入後、先端に形成された雄ネジ部に、ナット37が螺合される。
また、図10に示すように、２枚の板体Ｂ，Ｂの突片部８，８を幅方向に連続させた後で、連結棒９を用いずに、第２固着孔32に（図示省略の）ビス34を差込み雌ネジ孔35…に螺着して、２枚の板体Ｂ，Ｂを固定するのもよい。
なお、図12では、連結棒９は、１つの小角筒体28の略４倍の長さ（突片部８の略２倍の長さ）を有する。あるいは、板体Ｂに取り付けられる小角筒体28の数、及び、複数枚の板体Ｂ…同士を連結する小角筒体28…の数に応じて、連結棒９の長さを、１つの小角筒体28の２倍、３倍の長さに、設定する。
【００１７】
あるいは、図16〜図19に示す板体Ｂが有する連結固定用形状は、（より好ましい、）別の例であり、板体Ｂは、固定用ビス49を差込む固定孔と、雌ネジ孔とが、設けられる。
具体的には、板体Ｂの突片部８は、夫々、２つの第１固定孔51，51が、厚さ方向に貫設されると共に幅方向に並設され、第１固定孔51は、夫々、両端に、座ぐり51ａ，51ａを有する。
かつ、第１板体１の側辺部13と、第２・第３・第４板体２，３，４の短辺部23は、夫々、突片部８，８同士で連結される他の板体Ｂの突片部８に形成された２つの第１固定孔51，51に対応する位置に、一対の雌ネジ孔50，50が、形成される。
さらに、板体Ｂは、スリット25の奥部の延長線上であって、このスリット25に差込まれる突片部８を有する他の板体Ｂに形成された２つの雌ネジ孔50，50に対応する位置に、一対の第２固定孔52，52が形成される（図19参照）。第２固定孔52は、夫々、両端に座ぐり52ａ，52ａを、有する。
【００１８】
また、図示省略するが、板体群Ｇが、第１板体１の長さ寸法ｔ1 の、５以上の整数倍の長さ寸法を有する板体Ｂを、備えていてもよい。この板体Ｂに於て、一対の突片部８，８、スリット25…、及び、第１・第２連結孔41，42（あるいは、第１固定孔51，52、及び雌ねじ孔50）は、第２・第３・第４板体２，３，４のものと同様の構成である。
【００１９】
また、図14及び図15は、４枚の第１板体１…を、夫々の突片部８…で連結する場合を示す説明図である。
この突片部８は、夫々、（図７〜図10で既述した）１つの小角筒体28から構成され、かつ、夫々の小角筒体28は、相互に重ならないように、側辺部13に、幅方向にずらして設けられる（図14参照）。
そして、４枚の第１板体１…の突片部８…を幅方向に連続させた後で、全ての第１連結孔41…に、連結棒９を挿入して、ナット37（図12参照）で固定する。
この図14及び図15に於ては、第１板体１…を連結する場合について説明したが、同様の手順で、第２・第３・第４板体２，３，４に突片部８を設けて、連結するのもよい。
【００２０】
次に、組立セットの使用方法について説明する。
図３，図４は、１枚の第１板体１と、１枚の第２板体２と、２枚の第３板体３，３と、から構成する模型体６の一例を示す。
先ず、図３に於て、矢印のように、第２板体２のスリット25を、一の第３板体３のスリット25に嵌合させつつ、この第２板体２の一の突片部８を、他の第３板体３のスリット25に、差し込む。
さらに、第１板体１の一対の突片部８，８を、一の第３板体３のスリット25と、他の第３板体３のスリット25に差し込む。
そして、上記嵌合・差込により構成された第２・第２連結孔42，42、第１・第２連結孔41，42の夫々に、連結棒９を、挿入してナットで固定し、図４のような模型体６を、形成する。
あるいは、板体Ｂ…を、図７〜図10に示すものとし、これらの板体Ｂ…を、図４のように組合わせた後で、一の板体Ｂの突片部８（小角筒体28）の第２固着孔32にビス34を差込んで、他の板体Ｂの側辺部13又は短辺部23に、螺着して固定する方法でもよい。
【００２１】
さらに好ましくは、板体Ｂ…を、図16〜図19に示すものとし、これらの板体Ｂ…を、図４のように組立てた後で、ビス49を、第１・第２固定孔51，52と雌ネジ孔50に螺合して（図17，図19参照）、固定する方法でもよい。
【００２２】
さらに、板体群Ｇから選択する板体Ｂ…により、例えば、図13に示すような模型体６の作成も可能である。
具体的には、先ず、４枚の第４板体４…を、夫々の突片部８同士を連結させて矩形状の枠体を組立て、そして、この枠体の内部に、２枚の第２板体２，２と、３枚の第３板体３…を、差込む。この図13は、板体Ｂ…を、図１〜図12に示すものとしており、組立てた後で、連結棒９及びナットで固定される例が、示されている。
より好ましくは、板体Ｂ…を、図16〜図19に示すものとする場合であり、図16の板体群Ｇから選択した板体Ｂ…を、図13のように組立てた後で、ビス49を、第１・第２固定孔51，52及び雌ネジ孔50に螺合して固定して（図17，図19参照）、模型体６を完成する。
ところで、以上は４枚の板体１，２，３，４をもって構成した実施の形態について説明したが、少なくとも３枚の板体１，２，３をもって構成できる。
【００２３】
なお、図示省略するが、第１板体１の長さ寸法ｔ1 の５倍以上の長さ寸法を有する板体から、矩形状の枠体を組み立てて模型体６を構成したり、あるいは、例えば、「凸」や「凹」のような形状の枠体を組み立てて、模型体６を構成するのも、自由である。
組み立て後の模型体６の全体の幅寸法Ｌ6 は、板体Ｂの幅寸法Ｌ1 と同一であり、それよりも大きくなることがない。
このように、選択する板体Ｂの種類、枚数、そして、組合わせ方により、図４、図13に示す模型体６以外の、様々な形状の模型体６を構成することができ、家庭，洋服店，カフェ，クラブ等の収納棚，内装品等の家具を構成したり、あるいは、子供が玩具として自由に組み合わせて遊ぶことができる。
【００２４】
以上のように、本発明に係る組立セットは、略矩形状の第１板体１と、第１板体１の長さ寸法ｔ1 の略２倍，略３倍の長さ寸法ｔ2 ，ｔ3 を有する第２・第３板体２，３と、を具備する板体群Ｇを、備え、第２・第３板体２，３は、夫々、２つの長辺部20，20のうちの一長辺部20Ａに、第１板体１の長さ寸法ｔ1 と同じ寸法置きに等分する幅方向に切り欠いたスリット25を、有し、かつ、第２・第３板体２，３は、夫々、２つの長辺部20，20のうちの他長辺部20Ｂの両端部21，21から短辺部23，23に沿うように、小段差部24，24をもって突設され別の第２・第３板体２，３に形成されたスリット25に嵌込分離自在に差込まれる背の低い突片部８，８を、有し、かつ、第１板体１は、４辺のうちの一辺部10の両端部11，11から側辺部13，13に沿うように、小段差部14，14をもって突設され第２・第３板体２，３に形成されたスリット25に嵌込分離自在に差込まれる背の低い突片部８，８を、有するので、所望の板体Ｂを選択して、突片部８、スリット15，25による嵌合又は差込み作業を行うことで、自由に組合わせて様々な形状の模型体を形成することができる。
よって、複数枚の板体Ｂ…から、家庭，洋服店，カフェ，クラブ等の収納棚，内装品等の家具を、好みの多種多様な形状にして作り出すことができ、しかも、どの組合わせ方にしても、強固な構造とすることができる。
あるいは、板体Ｂを小型に成型して、子供が遊ぶ知育玩具とすれば、多くのパターンで、自由自在に組合わせたり分解したりして、遊ぶことができる。
さらに、分解作業も容易に行い得るので、何度も分解・組立を繰り返すことができ、形状を変えることができる。
【００２５】
また、第１板体１及び第２・第３板体２，３の板体Ｂは、夫々、一対の突片部８，８にその長手方向に貫通形成された第１連結孔41，41を有し、かつ、板体Ｂのうち、第２・第３板体２，３は、スリット25の奥部の突当段部26から第１連結孔41と平行に貫通形成された第２連結孔42を、有し、さらに、異なる板体Ｂ，Ｂの夫々の第１・第２連結孔41，42、又は、第１・第１連結孔41，41、又は、第２・第２連結孔42，42に通され、２枚の板体Ｂ，Ｂを連結する連結棒９を、備えているので、板体Ｂ，Ｂを、どのような組合わせ方で連結する場合でも、連結棒９を、第１連結孔41，第２連結孔42に挿入するだけで、容易に、強固に固定することができる。
よって、例えば、家具として使用する場合に、不意に分解したり、外れてしまうことがない。
【００２６】
また、第１板体１は、一辺部10、又は一辺部10と対向する他辺部12に、その中央から幅方向に切り欠いたスリット15を、有するので、第１板体１のスリット15に、別の板体Ｂを差込んで連結することにより、板体Ｂを組合わせるパターンを、一層多くすることができる。
【００２７】
また、突片部８は、横断面正方形状の小角筒体28をビス34にて着脱自在として付設されているので、突片部８の幅方向の長さや、突片部８が板体Ｂに設けられる位置を、自由に設定することができ、相互に連結する板体Ｂ…の枚数（２枚〜４枚）に対応できる。
よって、板体Ｂを組合わせるパターンを、一層多くすることができる。
【図面の簡単な説明】
【００２８】
【図１】本発明に係る組立セットの実施の一形態を示す斜視図である。
【図２】平面図である。
【図３】組立方法の一例を示す説明用斜視図である。
【図４】説明用斜視図である。
【図５】本発明に係る組立セットの他の実施の形態を示す要部斜視図である。
【図６】本発明に係る組立セットの別の実施の形態を示す要部斜視図である。
【図７】本発明に係る組立セットのさらに別の実施の形態を示す要部拡大図であって、（ａ）は要部拡大平面図で、（ｂ）は要部拡大正面図で、（ｃ）は要部拡大側面図である。
【図８】説明用要部斜視図である。
【図９】説明用要部斜視図である。
【図１０】説明用要部斜視図である。
【図１１】説明用斜視図である。
【図１２】拡大一部断面正面図である。
【図１３】斜視図である。
【図１４】板体の比較例を示す説明用要部斜視図である。
【図１５】説明用要部斜視図である。
【図１６】本発明に係る組立セットのさらに別の実施の形態を示す斜視図である。
【図１７】説明用要部斜視図である。
【図１８】説明用要部拡大側面図である。
【図１９】説明用要部斜視図である。
【符号の説明】
【００２９】
１  第１板体
２  第２板体
３  第３板体
４  第４板体
８  突片部
９  連結棒
10  一辺部
11  端部
12  他辺部
13  側辺部
14  小段差部
15  スリット
20  長辺部
20Ａ  一長辺部
20Ｂ  他長辺部
21  端部
23  短辺部
24  小段差部
25  スリット
26  突当段部
28  小角筒体
34  ビス
41  第１連結孔
42  第２連結孔
Ｂ  板体
Ｇ  板体群
ｔ1 ，ｔ2 ，ｔ3 ，ｔ4   長さ寸法